(57)【特許請求の範囲】
【請求項１】
シューズのカウンター構造であって、
シューズの少なくとも踵領域に設けられ、着用者の足の踵部の下部を包み込むように踵部に沿って巻き上げられた周縁部を有するソールプレートを備え、
シューズの前記踵領域の内甲側および外甲側において足の踵部を左右から挟持し得る位置に左右一対のカウンター部が設けられており、前記各カウンター部が前記ソールプレートから独立して内外方に変形し得るように、前記各カウンター部の下端が前記ソールプレートの前記周縁部に連結されており、
前記ソールプレートの前記周縁部が、シューズの前記踵領域の後端において、中央が高くかつ左右に向かって徐々に低くなる山形形状を有するとともに、当該山形形状の中央が、シューズの前記踵領域の後端において、踵後部の最突出部位またはその近傍まで延設されている、
ことを特徴とするシューズのカウンター構造。
【請求項２】
請求項１において、
前記ソールプレートが足の踵部の足裏の形状に沿うラウンド形状を有している、
ことを特徴とするシューズのカウンター構造。
【請求項３】
請求項１において、
前記各カウンター部が、その前記下端を除き、前記ソールプレートの前記周縁部から分離している、
ことを特徴とするシューズのカウンター構造。
【請求項４】
請求項３において、
前記ソールプレートの前記周縁部からの前記各カウンター部の分離の後方側の起点が、踵部の内外踝の下方の左右の膨出部位または踵骨の左右の隆起部位の下方かつ後方に位置している、
ことを特徴とするシューズのカウンター構造。
【請求項５】
請求項１において、
前記各カウンター部が、前記ソールプレートの山形形状の前記周縁部から離間配置されている、
ことを特徴とするシューズのカウンター構造。
【請求項６】
請求項１において、
前記各カウンター部の上縁が足の踝の下部まで延設されている、
ことを特徴とするシューズのカウンター構造。
【請求項７】
請求項１において、
前記各カウンター部が、踵部の内外踝の下方の左右の膨出部位または踵骨の左右の隆起部位を覆っている、
ことを特徴とするシューズのカウンター構造。
【請求項８】
請求項１において、
前記各カウンター部のいずれかまたは双方が、前記ソールプレートと一体成形されている、
ことを特徴とするシューズのカウンター構造。
【請求項９】
請求項１において、
前記各カウンター部のいずれかまたは双方が、前記ソールプレートに直接または別部材を介して固着されている、
ことを特徴とするシューズのカウンター構造。
【請求項１０】
請求項９において、
前記別部材が、シューズのアッパーである、
ことを特徴とするシューズのカウンター構造。
【発明の詳細な説明】
【技術分野】
【０００１】
本発明は、シューズ用カウンター構造に関し、詳細には、着用者の足の踵幅の広狭（つまり踵骨の大小）に関係なく、常に安定して踵を保持（ホールド）できるようにするための構造の改良に関する。
【背景技術】
【０００２】
本願出願人は、陸上競技用の靴底において、土踏まず部前方の踏付部から踵部にかけて足後部を包み込むように靴底周縁を巻き上げた三次元形状とし、巻上げ部の上縁を足幅の最大となる稜線付近まで延設したものを提案している（実公平７−３６４８１号公報の図１、図３参照）。
【０００３】
この場合には、靴底を三次元形状とすることによって、踵部固定用のヒールカウンターを必要とすることなく、踵を確実にサポートできるようにしている。
【発明の概要】
【発明が解決しようとする課題】
【０００４】
ところが、上記公報に示すものでは、足幅最大の稜線付近までその上縁を延設した巻上げ部によって踵全体をホールドしようとしているため、靴底の幅寸法が着用者の足の踵幅と一致している場合には、踵のホールド性を十分に発揮できるものの、踵幅が靴底の幅寸法より小さい場合には、踵と靴との間に隙間が形成される結果、踵を十分にホールドすることができず、踵の支持が不安定となる。また、これとは逆に、踵幅が靴底の幅寸法より大きい場合には、踵が巻上げ部に乗り上げて巻上げ部の上部を外側に変形させる結果、踵を十分にホールドすることができないばかりか、シューズの寿命を縮めたり、靴擦れを起こしたりすることになる。
【０００５】
また、本願の図３７に示すように、従来のシューズ用カウンター構造１００は、平坦状の中底１０１と、中底１０１の踵周縁部に沿って踵を包み込むように配設されたカウンター部１０２とを有している。
【０００６】
この場合においても、着用者の足Ｆの踵幅がシューズの踵幅寸法と一致している場合には、カウンター部１０２により踵をホールドすることが可能であるが（図３８参照）、踵幅がシューズの踵幅寸法より大きい場合には、踵がカウンター部に乗り上げてカウンター部の上部を外側に変形させる結果、踵を十分にホールドすることができない（図３９および図３７一点鎖線参照）。また、踵幅がシューズの踵幅寸法より小さい場合には、踵と靴との間に隙間が形成される結果、同様に、踵を十分にホールドすることができない。
【０００７】
そこで、シューズのサイズに関し、足長のみならず踵幅についてもいくつかの寸法のものを用意しておくことも考えられるが、この場合、各足長のシューズについて複数種類の踵幅のものを用意するとなると、メーカーおよび販売サイドで膨大な種類のストックを抱え込むことになり、これは現実的な対応とはいえない。
【０００８】
本発明は、このような従来の実情に鑑みてなされたものであり、本発明が解決しようとする課題は、着用者の足の踵幅の広狭（つまり踵骨の大小）に関係なく、常に安定して踵を保持（ホールド）することができるシューズ用カウンター構造を提供することにある。別の言い方をすれば、本発明は、踵のホールド性を向上できるシューズ用カウンター構造を提供しようとしている。
【課題を解決するための手段】
【０００９】
上述した課題を解決するために、本発明に係るシューズ用カウンター構造においては、シューズの少なくとも踵領域に、着用者の足の踵部の下部を包み込むように踵部に沿って巻き上げられた周縁部を有するソールプレートを設けるとともに、シューズの踵領域の内甲側および外甲側において足の踵部を左右から挟持し得る位置に、左右一対のカウンター部を設け、各カウンター部がソールプレートから独立して内外方に変形し得るように各カウンター部の下端をソールプレートの周縁部に連結している。ソールプレートの周縁部は、シューズの踵領域の後端において、中央が高くかつ左右に向かって徐々に低くなる山形形状を有するとともに、当該山形形状の中央が、シューズの踵領域の後端において踵後部の最突出部位またはその近傍まで延設されている（請求項１参照）。
【００１０】
本発明によれば、シューズの着用時には、足の踵部の下部がソールプレートの周縁部によって保持される。また、このとき、ソールプレートの周縁部に連結された各カウンター部によって踵部が左右から挟持され、これにより、踵をホールドすることができ、フィット性を向上できる。
【００１１】
また、この場合には、各カウンター部がソールプレートから独立して内外方に変形し得るように各カウンター部の下端がソールプレートの周縁部に連結されているので、着用者の足の踵幅がソールプレートの幅寸法よりも大きいとき、踵部がソールプレートの周縁部に乗り上げて周縁部を押し拡げた際には、各カウンター部が外側に変形することで、各カウンター部が踵部から離れることなく、踵部が各カウンター部によって左右から挟持されて、ホールドされることになる。
【００１２】
なお、ソールプレートの幅寸法を予め踵幅の小さな足に合わせて設計していれば、踵幅がソールプレートの幅寸法よりも大きな足に対しては、各カウンター部が外側に変形することで、踵部が各カウンター部によって左右からホールドされることになる。
【００１３】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００１４】
さらに、この場合、シューズの着用時には、足の踵後部がソールプレートの山形形状の周縁部の中央部位によって前後方向に支持されるとともに、シューズ内の前後方向における足の適正な置き位置を決めることができる。
【００１５】
また、本発明において、ソールプレートは、足の踵部の足裏の形状に沿うラウンド形状を有している（請求項２参照）。
【００１６】
この場合には、ソールプレートが、平坦な二次元形状ではなく、足裏の形状に沿う三次元形状を有している。一般に、人の足は、踵部の踵骨の下方に脂肪体を有しており、踵部の下面はラウンド形状を有している。このため、踵部が平坦なソールプレートの上に乗ったときには、踵部の下面が平坦状に潰されてしまうが、踵部がラウンド形状のソールプレートの上に乗ったときには、踵部の下面が潰されることなく、ソールプレートに沿ってラウンド形状を維持することになる。これにより、踵部が脂肪体によって本来有していたクッション性を発揮できるようになって、クッション性向上のためにソール厚みを厚くする必要がなくなり、その結果、シューズ全体を軽量化できる。
【００１７】
本発明において、各カウンター部は、その下端を除き、ソールプレートの周縁部から分離している（請求項３参照）。
【００１８】
この場合には、各カウンター部の内外方への変形が、ソールプレートの周縁部から独立してスムーズに行われる。
【００１９】
本発明において、ソールプレートの山形形状の周縁部からの各カウンター部の分離の後方側の起点は、踵部の内外踝の下方の左右の膨出部位または踵骨の左右の隆起部位の下方かつ後方に位置している（請求項４参照）。
【００２０】
この場合には、各カウンター部が当該起点の回りに外側に変形したとき、各カウンター部が踵部の内外踝の下方の左右の膨出部位または踵骨の左右の隆起部位に側方から確実に当接でき、これにより、踵部を左右から確実にホールドすることができる。
【００２１】
本発明において、各カウンター部は、ソールプレートの山形形状の周縁部から離間配置されている（請求項５参照）。
【００２２】
この場合には、各カウンター部の内外方への変形が、ソールプレートの周縁部に干渉することなく、周縁部から独立してスムーズに行われる。
【００２３】
本発明において、各カウンター部の上縁は足の踝の下部まで延設されている（請求項６参照）。また、本発明において、各カウンター部は、踵部の内外踝の下方の左右の膨出部位または踵骨の左右の隆起部位を覆っている（請求項７参照）。
【００２４】
これらの場合には、足の動きを阻害することなく、各カウンター部により踵部の広範囲をホールドすることができる。
【００２５】
本発明において、各カウンター部のいずれかまたは双方は、ソールプレートと一体成形されていてもよく（請求項８参照）。あるいは、ソールプレートに直接または別部材を介して固着されていてもよい（請求項９参照）。また、別部材はシューズのアッパーであってもよい（請求項１０参照）。
【発明の効果】
【００２６】
以上のように、本発明に係るカウンター構造によれば、各カウンター部がソールプレートから独立して内外方に変形し得るように、各カウンター部の下端をソールプレートの周縁部に連結するようにしたので、シューズの着用時には、各カウンター部が内外方に変形することで、踵部を各カウンター部によって左右から保持（ホールド）することができる。これにより、着用者の足の踵幅の広狭（つまり踵骨の大小）に関係なく、常に安定して踵をホールドすることができ、踵のホールド性およびフィット性を向上できる効果がある。
【図面の簡単な説明】
【００２７】
【図１】本発明の第１の実施例によるカウンター構造を備えたシューズを足の骨格図とともに示す外甲側側面図である。
【図２】図１のシューズを踵後端側から見た後面図である。
【図３】図１のカウンター構造の外甲側側面図である。
【図４】図１のカウンター構造の後面図である。
【図５】図４のV-V線断面図である。
【図６】図１のカウンター構造の平面図である。
【図７】図６のＡ−Ａ線断面図であって、踵幅の小さな踵がシューズを着用した状態を示している。
【図８】図６のＡ−Ａ線断面図であって、踵幅の大きな踵がシューズを着用した状態を示している。
【図９】本発明の第２の実施例によるカウンター構造の外甲側側面図である。
【図１０】図９のカウンター構造の後面図である。
【図１１】図１０のXI-XI線断面図である。
【図１２】図９のカウンター構造の横断面図であって、踵幅の小さな踵がシューズを着用した状態を示している。
【図１３】図９のカウンター構造の横断面図であって、踵幅の大きな踵がシューズを着用した状態を示している。
【図１４】本発明の第３の実施例によるカウンター構造の外甲側側面図である。
【図１５】図１４のカウンター構造の後面図である。
【図１６】図１５のXVI-XVI線断面図である。
【図１７】図１４のカウンター構造の横断面図であって、踵幅の小さな踵がシューズを着用した状態を示している。
【図１８】図１４のカウンター構造の横断面図であって、踵幅の大きな踵がシューズを着用した状態を示している。
【図１９】本発明の第４の実施例によるカウンター構造の外甲側側面図である。
【図２０】図１９のカウンター構造の後面図である。
【図２１】図２０のXXI-XXI線断面図である。
【図２２】図１９のカウンター構造の横断面図であって、踵幅の小さな踵がシューズを着用した状態を示している。
【図２３】図１９のカウンター構造の横断面図であって、踵幅の大きな踵がシューズを着用した状態を示している。
【図２４】本発明の第５の実施例によるカウンター構造の横断面図である。
【図２５】本発明の第６の実施例によるカウンター構造の外甲側側面図である。
【図２６】図２５のカウンター構造の後面図である。
【図２７】図２６のXXVII-XXVII線断面図である。
【図２８】図２５のカウンター構造の横断面図であって、シューズを着用した状態を示している。
【図２９】本発明の第７の実施例によるカウンター構造の外甲側側面図である。
【図３０】図２９のカウンター構造の後面図である。
【図３１】図３０のXXXI-XXXI線断面図である。
【図３２】図２９のカウンター構造の横断面図であって、シューズを着用した状態を示している。
【図３３】本発明の第８の実施例によるカウンター構造の外甲側側面図である。
【図３４】図３３のカウンター構造の後面図である。
【図３５】図３４のXXXV-XXXV線断面図である。
【図３６】図３３のカウンター構造の横断面図であって、シューズを着用した状態を示している。
【図３７】従来のシューズ用カウンター構造の平面図である。
【図３８】図３７のＡ’−Ａ’線断面図であって、シューズの踵寸法に適合した踵幅の踵がシューズを着用した状態を示している。
【図３９】図３７のＡ’−Ａ’線断面図であって、踵幅の大きな踵がシューズを着用した状態を示している。
【発明を実施するための形態】
【００２８】
以下、本発明の実施例を添付図面に基づいて説明する。
〔第１の実施例〕
図１ないし図８は、本発明の第１の実施例によるカウンター構造を示している。ここでは、当該カウンター構造がウォーキングシューズまたはランニングシューズに適用された場合を例にとって説明する。
【００２９】
図１および図２に示すように、シューズは、ソールＳと、その上に固着されたアッパー（甲被）Ｕとから主として構成されている。カウンター構造１は、シューズの少なくとも踵領域に設けられたソールプレート２と、その上方に配置された左右一対のカウンター部材３、３’とを有している。
【００３０】
ソールプレート２は、この例では、シューズの踵後端から中足領域近傍まで延設されている。また、ソールプレート２は、図５ないし図８に示すように、中底２０と、着用者の足Ｆ、Ｆ’の踵部の下部を包み込むように踵部に沿って中底２０の外周縁部から巻き上げられた周縁部２１、２２、２３とを有しており、足Ｆ、Ｆ’の踵部の足裏の形状に沿うラウンド形状を有している。周縁部２１、２２はそれぞれシューズの外甲側、内甲側に沿って配設され、周縁部２３はシューズの踵後端側に沿って配設されており、これらの周縁部２１、２２、２３は一体に連設されている。
【００３１】
ソールプレート２の周縁部２３は、シューズの踵領域の後端において、中央が高くかつ左右に向かって徐々に低くなる山形形状を有している（図２ないし図４参照）。ソールプレート２の山形形状の周縁部２３の最上位の中央部位２３ａは、図１に示すように、シューズの踵領域の後端において、踵後部の最突出部位Ｐまたはその近傍まで延設されている。
【００３２】
各カウンター部材３、３’は、シューズの踵領域のそれぞれ外甲側、内甲側において足の踵部を左右から挟持し得る位置に配置されている。より具体的には、各カウンター部材３、３’の上縁部３ａ、３’ａは、足の踝の下部近傍まで延設されている。すなわち、カウンター部材３の上縁部３ａは、足の外踝Ｋの下部近傍まで延設されている（図１参照）。同様に、カウンター部材３’の上縁部３’ａは、足の内踝の下部近傍まで延設されている（図示省略）。カウンター部材３は、踵部の外踝の下方の膨出部位Ｂ（図１斜線領域参照）または踵骨ＣＡの外甲側の隆起部位を覆っている。同様に、カウンター部材３’は、踵部の内踝の下方の膨出部位または踵骨ＣＡの内甲側の隆起部位を覆っている（図示省略）。各カウンター部材３、３’は、側面視楕円状、紡錘状または卵形等の前後方向に延びる形状を有している。
【００３３】
なお、踵部の外踝の下方の膨出部位Ｂまたは踵骨ＣＡの外甲側の隆起部位の中心のより詳細な位置としては、足長方向に関しては、靴の内部において足の踵部の後端から足長の約１７％の位置である。これは、踵中心の位置が、一般に、踵後端から足長の約１７％の位置とされているからである。また、鉛直方向に関しては、靴の内部において中敷上面からの高さが（足長×０．２７７８−１．８５）/２[mm]の位置である。これは、足の外踝の位置が、一般に、（足長×０．２７７８−１．８５）[mm]の位置とされており、その一方、カウンター部材の上縁部が踵にかかると靴擦れを起こしやすくなることを考慮すると、足の外踝の半分の高さ位置にカウンター部材の中心位置を配置すればよいと考えられるからである。
【００３４】
各カウンター部材３、３’は、ソールプレート２から独立して内外方に変形し得るように、各カウンター部材３、３’の下端は、それぞれソールプレート２の周縁部２１、２２に連結されている。ここでは、各カウンター部材３、３’は、その下端に設けられた連結部３０、３０’を介して、ソールプレート２の各周縁部２１、２２に対して接着や縫製等によって直接固着されている。この例では、各カウンター部材３、３’の各連結部３０、３０’は、ソールプレート２の各周縁部２１、２２の外側面上に配置されている。
【００３５】
各カウンター部材３、３’は、その下端を除き、ソールプレート２の山形形状の周縁部２３から分離しており、好ましくは、周縁部２３から離間配置されている。また、図１ないし図５に示すように、各カウンター部３、３’におけるソールプレート２の山形形状の周縁部２３からの分離の起点３ｂ、３’ｂは、踵部の内外踝の下方の左右の膨出部位または踵骨の左右の隆起部位の下方かつ後方に位置している。
【００３６】
ソールプレート２および各カウンター部材３、３’は、好ましくは硬質弾性部材から構成されており、具体的には、熱可塑性ポリウレタン（ＴＰＵ）やポリアミドエラストマー（ＰＡＥ）等の熱可塑性材料や、エポキシ樹脂や不飽和ポリエステル樹脂等の熱硬化性材料から構成されている。また、各カウンター部材３、３’は、天然皮革、人工皮革または合成皮革から構成してもよく、あるいは、不織布に樹脂を含浸させたものでもよい。
【００３７】
ここでは、ソールプレート２および各カウンター部材３、３’が、いずれもシューズのアッパーＵの外側に設けられた例を示したが、ソールプレート２および各カウンター部材３、３’のいずれかまたは双方をアッパーＵの内部に設けるようにしてもよい。この点は、後述する第２ないし第４の実施例、ならびに第６および第７の実施例においても同様である。
【００３８】
上述のように構成されるカウンター構造によれば、シューズの着用時には、着用者の足の踵部の下部がソールプレート２の周縁部２１、２２、２３によって保持される（図７、図８参照）。また、このとき、ソールプレート２の周縁部２１、２２に連結された各カウンター部材３、３’によって踵部が左右から挟持され（図７、図８参照）、これにより、踵をホールドすることができ、フィット性を向上できる。
【００３９】
しかも、この場合には、各カウンター部材３、３’がソールプレート２から独立して内外方に変形し得るように各カウンター部材３、３’の下端の各連結部３０、３０’がソールプレート２の周縁部２１、２２に連結されているので、着用者の足の踵幅がソールプレート２の幅寸法よりも大きい場合、踵部がソールプレート２の周縁部２１、２２に乗り上げて周縁部２１、２２を押し拡げた際には、各カウンター部材３、３’が外側に変形することで（図６一点鎖線参照）、各カウンター部材３、３’が踵部から離れることなく、踵部が各カウンター部材３、３’によって左右から挟持されて、ホールドされることになる（図８参照）。このとき、各カウンター部材３、３’の内外方への屈曲性を高めるには、各連結部３０、３０’の前後方向長さを短くしたり、肉厚を薄くしたりするようにすればよい。
【００４０】
なお、この場合、ソールプレート２の幅寸法を予め踵幅の小さな足に合わせて設計していれば、踵幅がソールプレート２の幅寸法よりも大きな足に対しては、各カウンター部材３、３’が外側に変形することで、踵部が各カウンター部材３、３’によって左右から確実にホールドされることになる。
【００４１】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００４２】
さらに、この場合、踵領域におけるアッパー内容積（つまりラスト体積）を足の踵部の体積より小さく設計しておくことにより、シューズの着用時には、踵部の脂肪体を含む踵部全体を小さくホールドすることができ、その結果、踵部全体のホールド性をさらに向上できる。
【００４３】
また、この場合、ソールプレート２が足の踵部の足裏の形状に沿うラウンド形状を有していることにより、ソールプレート２の上に乗ったときには、踵部の下面は、ソールプレート２に沿ったラウンド形状を維持する。これにより、踵部が脂肪体によって本来有していたクッション性を発揮でき、クッション性向上のためにソール厚みを厚くする必要がなくなって、シューズ全体を軽量化できる。
【００４４】
さらに、この場合、各カウンター部材３、３’がソールプレート２の山形形状の周縁部２３から分離していることにより、各カウンター部材３、３’の内外方への変形は、ソールプレート２の周縁部２３から独立してスムーズに行われる。
【００４５】
また、この場合、ソールプレート２の山形形状の周縁部２３の中央部位２３ａが、シューズの踵領域の後端において、踵後部の最突出部位Ｐまたはその近傍まで延設されていることにより、シューズの着用時には、足の踵後部は、ソールプレート２の山形形状の周縁部２３の中央部位２３ａによって前後方向に支持されることになる。
【００４６】
さらに、各カウンター部材３、３’におけるソールプレート２の山形形状の周縁部２３からの分離の起点３ｂ、３’ｂが、踵部の内外踝の下方の左右の膨出部位または踵骨の左右の隆起部位の下方かつ後方に位置している場合には、各カウンター部材３、３’が当該起点３ｂ、３’ｂの回りに外側に変形したとき、各カウンター部材３、３’は踵部の内外踝の下方の左右の膨出部位または踵骨の左右の隆起部位に側方から確実に当接でき、これにより、踵部を左右から確実にホールドすることができる。
【００４７】
また、各カウンター部材３、３’がソールプレート２の山形形状の周縁部２３から離間配置されている場合には、各カウンター部材３、３’の内外方への変形が、ソールプレート２の山形形状の周縁部２３に干渉することなく、周縁部２３から独立してスムーズに行われる。
【００４８】
さらに、各カウンター部材３、３’の上縁部３ａ、３’ａが足の踝の下部まで延設され、各カウンター部材３、３’が、踵部の内外踝の下方の左右の膨出部位または踵骨の左右の隆起部位を覆っている場合には、足の動きを阻害することなく、各カウンター部材３、３’により踵部の広範囲をホールドすることができる。
【００４９】
なお、この第１の実施例のように、各カウンター部材３、３’をソールプレート２の外側に配置する場合、シューズの製造工程において、カウンター部材をシューズのアッパーの一部として縫製または接着によって組み立てるとともに、ソールプレートをアッパーによって包み込まれる中底として配置するようにすれば、中底を別途用意する必要がなくなるので、製造工程を簡略化できるとともに、シューズを軽量化できる。
【００５０】
〔第２の実施例〕
前記第１の実施例では、各カウンター部材３、３’の各連結部３０、３０’が、ソールプレート２の各周縁部２１、２２の外側面上に配置された例を示したが、本発明の適用はこれに限定されない。
【００５１】
図９ないし図１３は、本発明の第２の実施例によるカウンター構造を示しており、これらの図において、前記第１の実施例と同一符号は同一または相当部分を示している。この第２の実施例では、各カウンター部材３、３’の各連結部３０、３０’が、ソールプレート２の各周縁部２１、２２の内側面上に配置されている点が前記第１の実施例と異なっており、その他の点は前記第１の実施例と同様である。
【００５２】
この第２の実施例においても、シューズの着用時には、着用者の足の踵部の下部がソールプレート２の周縁部２１、２２、２３によって保持されるとともに、ソールプレート２の周縁部２１、２２に連結された各カウンター部材３、３’によって踵部が左右から挟持され（図１２、図１３参照）、これにより、踵をホールドすることができ、フィット性を向上できる。
【００５３】
さらに、各カウンター部材３、３’がソールプレート２から独立して内外方に変形し得るように各カウンター部材３、３’の下端の各連結部３０、３０’がソールプレート２の周縁部２１、２２に連結されているので、着用者の足の踵幅がソールプレート２の幅寸法よりも大きい場合には、各カウンター部材３、３’が外側に変形することで、踵部が各カウンター部材３、３’によって左右から挟持されて、ホールドされることになる（図１３参照）。
【００５４】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００５５】
なお、この第２の実施例のように、ソールプレート２を各カウンター部材３、３’の外側に配置する場合には、ソールプレートをアッパーの外側に露出させることができるようになり、これにより、例えば、ソールプレートが樹脂成形される際にソールプレートに種々の意匠を施すことにより、シューズの外観の装飾性を向上させることができる。
【００５６】
〔第３の実施例〕
前記第１、第２の実施例では、各カウンター部材３、３’の下端が、ソールプレート２の各周縁部２１、２２の外側面上または内側面上に配置された例を示したが、本発明の適用はこれに限定されない。
【００５７】
図１４ないし図１８は、本発明の第３の実施例によるカウンター構造を示しており、これらの図において、前記第１、第２の実施例と同一符号は同一または相当部分を示している。この第３の実施例では、各カウンター部材３、３’の下端が、ソールプレート２の各周縁部２１、２２の上部端面の上に突き合わされた状態で連結されている点が前記第１、第２の実施例と異なっており、その他の点は前記第１、第２の実施例と同様である。すなわち、この第３の実施例では、各カウンター部材３、３’は、その下端に設けられた連結部３１、３１’を介して、ソールプレート２の各周縁部２１、２２の上部端面に接着や縫製等によって直接固着されている。
【００５８】
この場合、連結部３１、３１’は、各カウンター部材３、３’よりも薄肉になっており、これにより、各カウンター部材３、３’の屈曲性が向上している。
【００５９】
この第３の実施例においても、シューズの着用時には、着用者の足の踵部の下部がソールプレート２の周縁部２１、２２、２３によって保持されるとともに、ソールプレート２の周縁部２１、２２に連結された各カウンター部材３、３’によって踵部が左右から挟持され（図１７、図１８参照）、これにより、踵をホールドすることができ、フィット性を向上できる。
【００６０】
さらに、各カウンター部材３、３’がソールプレート２から独立して内外方に変形し得るように各カウンター部材３、３’の下端の各連結部３１、３１’がソールプレート２の周縁部２１、２２に連結されているので、着用者の足の踵幅がソールプレート２の幅寸法よりも大きい場合には、各カウンター部材３、３’が外側に変形することで、踵部が各カウンター部材３、３’によって左右から挟持されて、ホールドされることになる（図１８参照）。
【００６１】
このようにして、着用者の足の踵幅の広狭（つまり踵骨の大小）に関係なく、常に安定して踵を保持（ホールド）できるようになり、静止時のみならず運動時においても、踵のホールド性およびフィット性を向上できるようになる。
【００６２】
〔第４の実施例〕
前記第１ないし第３の実施例では、各カウンター部材３、３’の下端に設けられる連結部３０、３０’、３１、３１’が、各カウンター部材３、３’の下端領域として各カウンター部材３、３’と一体に設けられた例を示したが、本発明の適用はこれに限定されない。
【００６３】
図１９ないし図２３は、本発明の第４の実施例によるカウンター構造を示しており、これらの図において、前記第１ないし第３の実施例と同一符号は同一または相当部分を示している。この第４の実施例では、各カウンター部材３、３’とは別個に連結部材３２、３２’が設けられている点が前記第１ないし第３の実施例と異なっており、その他の点は前記第１ないし第３の実施例と同様である。各連結部材３２、３２’は前後方向に延びる帯状の部材であって、各カウンター部材３、３’の下端およびソールプレート２の各周縁部２１、２２の上端の各外側面上に接着や縫製等によって固着されている。
【００６４】
この場合、連結部３２、３２’は、各カウンター部材３、３’と同一の素材から構成されていても、または異なる素材から構成されていてもよいが、各カウンター部材３、３’の屈曲性を上げるためには、各カウンター部材３、３’よりも軟質の部材（例えば軟質樹脂やラバー等）から構成されているのが好ましい。
【００６５】
この第４の実施例においても、シューズの着用時には、着用者の足の踵部の下部がソールプレート２の周縁部２１、２２、２３によって保持されるとともに、ソールプレート２の周縁部２１、２２に各連結部材３２、３２’を介して連結された各カウンター部材３、３’によって踵部が左右から挟持され（図２２、図２３参照）、これにより、踵をホールドすることができ、フィット性を向上できる。
【００６６】
さらに、各カウンター部材３、３’がソールプレート２から独立して内外方に変形し得るように各カウンター部材３、３’の下端が各連結部３２、３２’を介してソールプレート２の周縁部２１、２２に連結されているので、着用者の足の踵幅がソールプレート２の幅寸法よりも大きい場合には、各カウンター部材３、３’が外側に変形することで、踵部が各カウンター部材３、３’によって左右から挟持されて、ホールドされることになる（図２３参照）。
【００６７】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００６８】
〔第５の実施例〕
前記第４の実施例では、各カウンター部材３、３’の下端に各カウンター部材３、３’とは別個に設けられた連結部３２、３２’が、前後方向に延びる帯状の部材から構成された例を示したが、本発明の適用はこれに限定されない。
【００６９】
図２４は、本発明の第５の実施例によるカウンター構造を示しており、同図において、前記第４の実施例と同一符号は同一または相当部分を示している。この第５の実施例では、各カウンター部材３、３’と別個に設けられる連結部材として、シューズのアッパーＵが用いられている。この例では、アッパーＵの内側面にソールプレート２が配設されるとともに、アッパーＵの外側面に各カウンター部材３、３’が配設されており、ソールプレート２および各カウンター部材３、３’はアッパーＵに接着や縫製等によって固着されている。各カウンター部材３、３’の下端は、ソールプレート２の上縁部２１、２２と厚み方向にオーバラップしている。
【００７０】
この場合、アッパーＵが皮革や繊維等の比較的軟質の素材から構成されているので、アッパーＵを介して各カウンター部材３、３’をソールプレート２に連結することにより、各カウンター部材３、３’の屈曲性が向上している。
【００７１】
この第５の実施例においても、シューズの着用時には、着用者の足の踵部の下部がソールプレート２の周縁部２１、２２、２３によって保持されるとともに、ソールプレート２の周縁部２１、２２にアッパーＵを介して連結された各カウンター部材３、３’によって踵部が左右から挟持され（図２４参照）、これにより、踵をホールドすることができ、フィット性を向上できる。
【００７２】
さらに、各カウンター部材３、３’がソールプレート２から独立して内外方に変形し得るように各カウンター部材３、３’の下端がアッパーＵを介してソールプレート２の周縁部２１、２２に連結されているので、着用者の足の踵幅がソールプレート２の幅寸法よりも大きい場合には、各カウンター部材３、３’が外側に変形することで、踵部が各カウンター部材３、３’によって左右から挟持されて、ホールドされることになる（図２４参照）。
【００７３】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００７４】
なお、各カウンター部材３、３’およびソールプレート２の双方をアッパーＵの外側面に配設するようにしてもよく、このとき、各カウンター部材３、３’の下端は、ソールプレート２の各周縁部２１、２２の上端から分離している方が好ましい。
【００７５】
〔第６の実施例〕
前記第１ないし第５の実施例では、各カウンター部材３、３’がソールプレート２と別個に設けられた例を示したが、本発明の適用はこれに限定されない。
【００７６】
図２５ないし図２８は、本発明の第６の実施例によるカウンター構造を示しており、これらの図において、前記第１ないし第５の実施例と同一符号は同一または相当部分を示している。この第６の実施例では、各カウンター部材３、３’がソールプレート２と一体成形されている点が前記第１ないし第５の実施例と異なっており、その他の点は前記第１ないし第５の実施例と同様である。
【００７７】
この第６の実施例においても、シューズの着用時には、着用者の足の踵部の下部がソールプレート２の周縁部２１、２２、２３によって保持されるとともに、ソールプレート２の周縁部２１、２２に連結された各カウンター部材３、３’によって踵部が左右から挟持され（図２８参照）、これにより、踵をホールドすることができ、フィット性を向上できる。
【００７８】
さらに、各カウンター部材３、３’がソールプレート２から独立して内外方に変形し得るように各カウンター部材３、３’の下端がソールプレート２の周縁部２１、２２に連結されているので、着用者の足の踵幅がソールプレート２の幅寸法よりも大きい場合には、各カウンター部材３、３’が外側に変形することで、踵部が各カウンター部材３、３’によって左右から挟持されて、ホールドされることになる（図２８参照）。
【００７９】
このようにして、着用者の足の踵幅の広狭（つまり踵骨の大小）に関係なく、常に安定して踵を保持（ホールド）できるようになり、静止時のみならず運動時においても、踵のホールド性およびフィット性を向上できるようになる。また、この場合には、各カウンター部材３、３’をソールプレート２に固着する作業が不要になるので、シューズの組立工程を簡略化できる。
【００８０】
〔第７の実施例〕
前記第１ないし第５の実施例では、各カウンター部材３、３’の双方がソールプレート２と別個に製作され、前記第６の実施例では、各カウンター部材３、３’の双方がソールプレート２と一体成形された例を示したが、本発明の適用はこれに限定されない。
【００８１】
図２９ないし図３２は、本発明の第７の実施例によるカウンター構造を示しており、これらの図において、前記第１ないし第６の実施例と同一符号は同一または相当部分を示している。この第７の実施例では、各カウンター部材３、３’のうち、外甲側のカウンター部材３がソールプレート２と一体成形され、内甲側のカウンター部材３’がソールプレート２と別個に製作されてソールプレート２の周縁部２２に連結されている点が前記第１ないし第６の実施例と異なっており、その他の点は前記第１ないし第６の実施例と同様である。
【００８２】
この第７の実施例においても、シューズの着用時には、着用者の足の踵部の下部がソールプレート２の周縁部２１、２２、２３によって保持されるとともに、各カウンター部材３、３’によって踵部が左右から挟持され（図３２参照）、これにより、踵をホールドすることができ、フィット性を向上できる。
【００８３】
さらに、カウンター部材３’がソールプレート２から独立して内外方に変形し得るようにカウンター部材３’の下端がソールプレート２の周縁部２２に連結されているので、着用者の足の踵幅がソールプレート２の幅寸法よりも大きい場合には、カウンター部材３’が外側に変形することで、踵部が各カウンター部材３、３’によって左右から挟持されて、ホールドされることになる（図３２参照）。
【００８４】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００８５】
〔第８の実施例〕
前記第１、第２の実施例では、各カウンター部材３、３’をソールプレート２に連結するのに、各カウンター部材３、３’の下端に設けられた連結部３０、３０’を用いた例を示したが、本発明の適用はこれに限定されない。
【００８６】
図３３ないし図３７は、本発明の第８の実施例によるカウンター構造を示しており、これらの図において、前記第１ないし第７の実施例と同一符号は同一または相当部分を示している。この第８の実施例では、ソールプレート２の各周縁部２１、２２の一部からそれぞれ上方に延設された連結部２１ａ、２２ａによって、ソールプレート２を各カウンター部材３、３’に連結している点が前記第１、第２の実施例と異なっている。
その他の点は前記第１、第２の実施例と同様である。
【００８７】
この第８の実施例においても、シューズの着用時には、着用者の足の踵部の下部がソールプレート２の周縁部２１、２２、２３によって保持されるとともに、ソールプレート２の周縁部２１、２２に連結された各カウンター部材３、３’によって踵部が左右から挟持され（図３６参照）、これにより、踵をホールドすることができ、フィット性を向上できる。
【００８８】
さらに、各カウンター部材３、３’がソールプレート２から独立して内外方に変形し得るように各カウンター部材３、３’がソールプレート２の周縁部２１、２２の各連結部２１ａ、２２ａに連結されているので、着用者の足の踵幅がソールプレート２の幅寸法よりも大きい場合には、各カウンター部材３、３’が外側に変形することで、踵部が各カウンター部材３、３’によって左右から挟持されて、ホールドされることになる（図３６参照）。
【００８９】
このようにして、着用者の足の踵幅の広狭（つまり踵骨の大小）に関係なく、常に安定して踵を保持（ホールド）することができるようになり、静止時のみならず運動時においても、踵のホールド性およびフィット性を向上できるようになる。
【００９０】
なお、この第８の実施例のように、ソールプレート２を各カウンター部材３、３’の外側に配置する場合には、ソールプレートをアッパーの外側に露出させることができるようになり、これにより、例えば、ソールプレートが樹脂成形される際にソールプレートに種々の意匠を施すことにより、シューズの外観の装飾性を向上させることができる。
【００９１】
また、これとは逆に、各カウンター部材３、３’をソールプレート２の外側に配置する場合、シューズの製造工程において、カウンター部材をシューズのアッパーの一部として縫製または接着によって組み立てるとともに、ソールプレートをアッパーによって包み込まれる中底として配置するようにすれば、中底を別途用意する必要がなくなるので、製造工程を簡略化できるとともに、シューズを軽量化できる。
【産業上の利用可能性】
【００９２】
以上のように、本発明は、シューズ用カウンター構造に有用であり、とくに足の踵幅の広狭に関係なく踵を安定してホールドするための構造に適している。
【符号の説明】
【００９３】
１：  カウンター構造
２：  ソールプレート
２０：  中底
２１〜２３：  周縁部
２３ａ：  中央部位
３、３’：  カウンター部材
３ａ、３’ａ：  上縁部
３ｂ、３’ｂ：  分離の起点
３０、３０’：  連結部
３１、３１’：  連結部
３２、３２’：  連結部
Ｕ：  アッパー
【先行技術文献】
【特許文献】
【００９４】
【特許文献１】実公平７−３６４８１号公報（図１、図３参照）
【図１】
0005406885.tif 000002
【図２】
0005406885.tif 000003
【図３】
0005406885.tif 000004
【図４】
0005406885.tif 000005
【図５】
0005406885.tif 000006
【図６】
0005406885.tif 000007
【図７】
0005406885.tif 000008
【図８】
0005406885.tif 000009
【図９】
0005406885.tif 000010
【図１０】
0005406885.tif 000011
【図１１】
0005406885.tif 000012
【図１２】
0005406885.tif 000013
【図１３】
0005406885.tif 000014
【図１４】
0005406885.tif 000015
【図１５】
0005406885.tif 000016
【図１６】
0005406885.tif 000017
【図１７】
0005406885.tif 000018
【図１８】
0005406885.tif 000019
【図１９】
0005406885.tif 000020
【図２０】
0005406885.tif 000021
【図２１】
0005406885.tif 000022
【図２２】
0005406885.tif 000023
【図２３】
0005406885.tif 000024
【図２４】
0005406885.tif 000025
【図２５】
0005406885.tif 000026
【図２６】
0005406885.tif 000027
【図２７】
0005406885.tif 000028
【図２８】
0005406885.tif 000029
【図２９】
0005406885.tif 000030
【図３０】
0005406885.tif 000031
【図３１】
0005406885.tif 000032
【図３２】
0005406885.tif 000033
【図３３】
0005406885.tif 000034
【図３４】
0005406885.tif 000035
【図３５】
0005406885.tif 000036
【図３６】
0005406885.tif 000037
【図３７】
0005406885.tif 000038
【図３８】
0005406885.tif 000039
【図３９】
0005406885.tif 000040